(57)【要約】【課題】既存のウキに加工や変更を加えることなく、そのまま使用することができつつも、フカセ釣りの固定仕掛け、半遊動仕掛け、遊動仕掛けといった複数の仕掛けを、迅速且つ確実に切り替えることができる釣り用補助具を提供する。【解決手段】釣り用補助具Ｔは、合成樹脂であるポリプロピレンによって、一体形成されており、中通しウキＵに差し込まれてウキを固定支持する支持棒部１と、支持棒部１の下部で道糸Ｍを相通させる本体部２と、を備えている。本体部２に形成された相通穴２３は、道糸Ｍを自由に相通させるように、道糸Ｍより大きな略円形に穿設されている。この相通穴２３に対しては、差込部たる切断部位２４を通じて、道糸Ｍを差し込む。【選択図】図１
0003165734.tif 000002
【実用新案登録請求の範囲】
【請求項１】
ウキ内部を貫通する貫通穴を備えた中通しウキを、道糸に対して固定仕掛け、全遊動仕掛け、半遊動仕掛けと切り替えて行う釣り用の補助具であって、
上記中通しウキの貫通穴に差し込まれて、該中通しウキを支持する支持棒部と、
該支持棒部の下部に設けられ、道糸が相通される相通穴を備える本体部と、
該本体部に設けられ上記相通穴に外部から道糸を差し込むことができる差込部とを備え、
上記相通穴の内径を道糸に設けた係止部の外形寸法より小さく設定したこと
を特徴とする釣り用補助具。
【請求項２】
上記本体部が、平板形状で構成されており、
上記相通穴が、上下方向にオフセットした位置に形成されていること
を特徴とする請求項１記載の釣り用補助具。
【請求項３】
上記差込部が、上記本体部に形成された楔状の切断部位で構成されていること
を特徴とする請求項１又は２記載の釣り用補助具。
【請求項４】
上記相通穴の切断部位の位置に、該相通穴の内側に膨出する膨出部が形成されていること
を特徴とする請求項３記載の釣り用補助具。
【請求項５】
上記釣り用補助具が、合成樹脂で構成されていること
を特徴とする請求項１乃至請求項４記載の釣り用補助具。
【考案の詳細な説明】
【技術分野】
【０００１】
本考案は、いわゆる「フカセ釣り」の際に用いる釣り用補助具に関するものである。
【背景技術】
【０００２】
従来から、撒き餌を海に散布して、その撒き餌に集まってくる魚を釣る手法として、いわゆる「フカセ釣り」という手法が知られている。このフカセ釣りは、釣り針やエサ等の重さだけで、仕掛けを海中に漂わせて（フカセて）魚を誘う手法であり、撒き餌とハリのエサとを同じように潮流にのせて魚を釣ることから、魚に違和感を持たせることなくエサを喰わせることができる。
【０００３】
ところで、このフカセ釣りを行う場合、タナの深さ（水面からエサまでの位置）を漁場や潮の流れ、気候、さらには魚の喰い付き時合等を見計らって、自由に変化させたいという要求がある。このため、フカセ釣りの仕掛けには、道糸に対するウキの位置を固定する「固定仕掛け」と、ウキの位置を道糸の所定範囲内で動くようにする「半遊動仕掛け」と、ウキの位置が道糸上で全く自由に動く「遊動仕掛け」の３タイプがある。
【０００４】
一般に、この３タイプの仕掛けは、いわゆる「中通しウキ」と呼ばれる中空貫通穴を備えたウキに道糸を通し、このウキの上下位置にウキ止めやシモリ玉、さらには割りオモリ等の固定具を道糸に固定することによって、ウキの動きを止めたり開放したりして、仕掛けを切り替えるようにしている。
【０００５】
しかし、この仕掛けの切り替え作業は、通常、足場の悪い磯場などで行うため、釣り人は不安定な体勢で行う必要があり、極めて作業性が悪いという問題がある。また、ウキ止め等の釣り具は、米粒程度の大きさであるため、手元がふら付くような体勢で仕掛けを切り替える作業を行うと、なかなか思うように仕掛けを替えることができず、迅速に作業ができないという問題がある。
【０００６】
そこで、これらの問題を解決するものとして、下記特許文献が知られている。特許文献１には、中通しウキの下端部に、貫通穴の穴径を切り替える内径調整部材を設けて、この内径調整部材によって貫通穴の穴径を切り替えることで、全遊動仕掛けと半遊動仕掛けとを切り替えるウキが開示されている。また、特許文献２には、全遊動仕掛けと固定仕掛けとを自在に切り替えるウキが開示されており、このウキも、中通しウキの下端部に、固定用具取付穴を設けて、この固定用具取付穴に道糸を通したウキゴムを差し込んだり外したりすることで、全遊動仕掛けと半遊動仕掛けを切り替えるようにしている。
【先行技術文献】
【特許文献】
【０００７】
【特許文献１】特開２００５−１６８４０３号公報
【特許文献２】実開昭６３−１６７８７４号公報
【考案の概要】
【考案が解決しようとする課題】
【０００８】
確かに、特許文献１や特許文献２の技術によると、フカセ釣りの仕掛けを迅速に切り替えられるように思える。しかし、いずれの技術も、ウキ自体に大きな加工を施す必要があり、今までフカセ釣りを行ってきた人にとっては、専用の新たなウキを購入する必要が生じる。また、今まで使っていたウキが使えなくなるといった問題も生じる。
【０００９】
さらに、ウキ自体に加工を施すことで、ウキの製造コストが高まり、ウキが高価になるといった問題も生じる。
【００１０】
加えて、特許文献１の実施形態をよく見てみると、内径調整部材の切り替えを、その都度中通しウキを道糸から取り外して行う必要があり、結局は、仕掛けを簡単に替えることができないと思われる。
【００１１】
本考案は、かかる点に鑑みてなされたものであり、その目的とするところは、既存のウキに加工や変更を加えることなく、そのまま使用することができつつも、フカセ釣りの固定仕掛け、半遊動仕掛け、遊動仕掛けといった複数の仕掛けを、迅速且つ確実に切り替えることができる釣り用補助具を提供することにある。
【課題を解決するための手段】
【００１２】
第１の考案は、ウキ内部を貫通する貫通穴を備えた中通しウキを、道糸に対して固定仕掛け、全遊動仕掛け、半遊動仕掛けと切り替えて行う釣り用の補助具であって、上記中通しウキの貫通穴に差し込まれて該中通しウキを支持する支持棒部と、該支持棒部の下部に設けられ道糸が相通される相通穴を備える本体部と、該本体部に設けられ上記相通穴に外部から道糸を差し込むことができる差込部とを備え、上記相通穴の内径を道糸に設けた係止部の外形寸法より小さく設定したことを特徴とするものである。
【００１３】
上記の構成によれば、釣り用補助具の支持棒部で中通しウキを支持して、本体部の相通穴に道糸を相通することにより、いろんな仕掛けを組み上げることができる。具体的には、本体部の相通穴に道糸をどのように相通させるかによって、３タイプの仕掛けを組み上げることができる。
【００１４】
まず、「全遊動仕掛け」は、係止部よりも手元側（リール側）の道糸を、相通穴に通すことで構成する。これにより、道糸は、係止部に邪魔されることなく、どんどん先側（釣り針側）に繰り出される。このため、釣り用補助具に支持されたウキは、道糸に沿って自由に移動することになる。また、「半遊動仕掛け」は、係止部よりも先側（釣り針側）の道糸を、相通穴に通すことで構成する。これにより、釣り用補助具は、係止部によって係止されるため、係止部とその先側（釣り針側）にあるハリスの連結部材等の係止部材との間で動く。このため、釣り用補助具に支持されたウキは、この間だけを自由に移動することになる。さらに、「固定仕掛け」は、道糸を相通穴に相通した状態で、固定手段（固定ピン等の固定部材、道糸を巻き付る固定等）で、道糸を相通穴に固定することで構成する。これにより、釣り用補助具に支持されたウキは、道糸に対して位置を変えることなく、道糸と一体的に移動することになる。
【００１５】
なお、ここでの係止部とは、釣り用補助具を道糸上で係止するものであれば、何でもよく、ウキ止め、シモリ玉、割りオモリ等々の釣り具、さらには、道糸自体を結んで固定した結び目等であっても良い。
【００１６】
このように、本体部の相通穴に対して、道糸の相通位置や相通の仕方を変えるといった単純なことだけで、既存の中通しウキをそのまま利用しながらも、複数の仕掛けを迅速且つ確実に、切り替えることができる。
【００１７】
第２の考案は、上記本体部が、平板形状で構成されており、上記相通穴が、上下方向にオフセットした位置に形成されていることを特徴とするものである。
【００１８】
上記の構成によれば、本体部が平板形状となり、相通穴が上下方向にオフセットした位置に形成されていることから、釣り人が仕掛けを切り替える際には、本体部の相通穴を設けていない部分を指で押さえて、道糸を差込部から差し込むことで、相通穴に相通させることができる。すなわち、釣り人が把持できる部分を本体部に形成しておくことで、仕掛けの切り替え作業の作業性を高めることができるのである。また、相通穴から道糸を外す場合にも、本体部を指で押さえて行うことができるため、道糸を取り外す際の作業性も高めることができ、より迅速に仕掛けの切り替え作業を行うことができる。
【００１９】
第３の考案は、上記差込部が、上記本体部に形成された楔状の切断部位で構成されていることを特徴とするものである。
【００２０】
上記の構成によれば、差込部が楔状の切断部位で構成されることから、楔状に狭まる形状の切断部位に対して道糸を差し込むことによって、道糸が確実に相通穴に案内されて、道糸を相通させることができる。
【００２１】
よって、相通穴への道糸の差込作業も容易に行うことができ、仕掛けの切り替え作業をより容易に行うことができる。
【００２２】
第４の考案は、上記相通穴の切断部位の位置に、該相通穴の内側に膨出する膨出部が形成されていることを特徴とするものである。
【００２３】
上記の構成によれば、相通穴の切断部位の位置に、相通穴の内側に膨出する膨出部が形成されていることで、道糸に外側に抜けるような力が作用した場合であっても、道糸が膨出部を避けた位置で外側に抜けるような動きをする。このため、道糸は切断部位から離れた位置で外側に動くため、相通穴から外れにくい状態を作り出せる。よって、道糸に、外側に抜けるような外力が作用したとしても、相通穴から外れないようにでき、キャスティング等の際に、仕掛けが崩れないようにすることができる。
【００２４】
第５の考案は、上記釣り用補助具が、合成樹脂で構成されていることを特徴とするものである。
【００２５】
上記の構成によれば、釣り用補助具をウキと同じように海面に浮く状態にすることができる。また、海水等による腐食も防ぐことができる。さらに、ある程度の剛性も有するので、道糸の支持も確実に行える。加えて、複雑な形状であっても比較的低価格で生産できるので、仕掛け切り替え用のウキよりも安価に提供することができる。
【考案の効果】
【００２６】
以上のように、本考案によれば、釣り用補助具の相通穴に対して、道糸の相通位置や相通の仕方を変えることにより、既存の中通しウキをそのまま利用しながらも、複数の仕掛けを、迅速且つ確実に切り替えることができる。
【００２７】
したがって、既存のウキに加工や変更を加えることなく、そのまま使用しつつも、フカセ釣りの固定仕掛け、半遊動仕掛け、遊動仕掛けといった複数の仕掛けを、迅速且つ確実に切り替えることができる。
【図面の簡単な説明】
【００２８】
【図１】本考案の実施形態１に係る釣り用補助具の図であり、（ａ）が正面図、（ｂ）が側面図である。
【図２】本体部の相通穴付近の詳細図であり、（ａ）が実施形態１の詳細図、（ｂ）が実施形態２の詳細図である。
【図３】釣り用補助具で全遊動仕掛けを組み上げた際の説明図である。
【図４】釣り用補助具で半遊動仕掛けを組み上げた際の説明図である。
【図５】釣り用補助具で固定仕掛けを組み上げた際の説明図である。
【図６】実施形態３の本体部の詳細図で、（ａ）が正面図、（ｂ）がＡ−Ａ線矢視断面図である。
【考案を実施するための形態】
【００２９】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００３０】
図１は、本考案の実施形態１の釣り用補助具Ｔ（以下、補助具という。）を示した図であり、（ａ）が正面図、（ｂ）が側面図である。
【００３１】
この図に示すように、本実施形態の補助具Ｔは、合成樹脂であるポリプロピレンによって、一体形成されており、大きく分けて、中通しウキＵに差し込まれてウキを固定支持する支持棒部１と、支持棒部１の下部で道糸Ｍを相通させる本体部２と、を備えている。
【００３２】
まず、支持棒部１は、上下方向に伸びた略丸断面の棒状部で構成しており、この支持棒部１を、中通しウキＵの貫通穴Ｕａに差し込むことで、中通しウキＵを支持固定している。支持棒部１の太さ（径）は、現在市販されている全ての中通しウキＵの貫通穴Ｕａに差し込むことが可能なサイズに設定されており、例えば、直径ｂを約１．５ｍｍに設定している。また、支持棒部１の長さは、中通しウキＵを貫通して、上部が中通しウキＵの上方に露出するように設定されており、例えば、長さＬを約５０ｍｍに設定している。なお、この支持棒部の長さＬは、ウキサイズの大小によって変化させてもよい。
【００３３】
また、この中通しウキＵに支持棒部１を差し込んだ後は、中通しウキＵを固定するため、市販されているウキゴム管やゴムチューブで構成した栓部材３を支持棒部１の上端に被せている。
【００３４】
さらに、本体部２の肩部２ａは、この中通しウキＵが補助具Ｔに支持固定された状態でも自由に回転するように、緩やかに下がる、いわゆる「なで肩」形状としている。すなわち、中通しウキＵと補助具Ｔとの間の摩擦を緩和するために、本体部２と支持棒部１との間の根元に所定角度θ（例えば４５°）の傾斜面を設定している。
【００３５】
なお、この支持棒部１では、様々なタイプの中通しウキＵを支持することが可能であるため、仕掛け等に応じて、ウキのサイズや種類等を変えることもできる。例えば、割りオモリの重さに応じてウキのサイズを変更したり、仕掛けのタイプに応じてウキの種類を変更したり、さらには、潮の流れに応じてウキを変更したりすることもできる。
【００３６】
また、この支持棒部１の断面形状は、丸断面に限定されるものではなく、三角や四角等の角断面であってもよい。さらに、楕円形状、星型形状等であってもよい。
【００３７】
次に、本体部２は、略草履形状の平板プレートで形成している。上部２１を下部２２に比較してやや大きめに形成して、上部２１を釣り人が指で掴みやすくしている。また、下部２２には道糸Ｍを相通させるための相通穴２３を形成している。そして、この本体部２は、外力が加わっても簡単に変形しない程度の剛性を有しており、例えば、厚みｔを１．５ｍｍに設定している。
【００３８】
本体部２に形成された相通穴２３は、道糸Ｍを自由に相通させるように、道糸Ｍより大きな略円形に穿設されている。例えば、道糸Ｍを２号（約０．２３５ｍｍ）とした場合には、相通穴２３の内径ｄを３ｍｍ〜５ｍｍ程度にしている。これにより、道糸が絡まることなく、スムーズに相通できるようにしている。なお、この相通穴２３の内径ｄは、中通しウキＵの貫通穴Ｕａの内径ｓよりも大きい方が望ましい。それは、相通穴２３の内径ｄが大きければ大きい程、道糸Ｍがスムーズに落ちやすくなり、中通しウキＵをそのまま相通させた場合よりも、道糸Ｍを海中Ｏに落ちやすくできるからである。また、この相通穴２３を、六角形や八角形にすることも考えられるが、道糸Ｍをなめらかに滑らせるためには、角のない円形である方が望ましい。
【００３９】
この相通穴２３に対しては、差込部たる切断部位２４を通じて、道糸Ｍを差し込む。この切断部位２４は、その文字からも分かるように、本体部２を切断することによって形成する。具体的には、図１（ａ）における略九時の位置で、相通穴２３と外側の間を切断することによって形成する。
【００４０】
この切断部位２４の詳細構造について、図２を使って説明する。図２の（ａ）が実施形態１の詳細図であり、（ｂ）が実施形態２の詳細図である。
【００４１】
まず、実施形態１の切断部位２４は、（ａ）に示すように、外側が広く相通穴２３側が狭まった、略楔形状となっている。すなわち、外側からは道糸Ｍを差し込みやすいが、相通穴２３からは道糸Ｍが抜け難い形状となっているのである。
【００４２】
また、この実施形態１は、この切断部位２４の位置に対応して相通穴２３の内側に膨出する膨出部２５を設けている。この膨出部２５は、半円形状の凸部で形成している。例えば、略楔形状の開口の幅ｈは約１．０ｍｍで、直径ｊは約１．２ｍｍに設定している。なお、この直径ｊについては、開口幅ｈと同じ、又はこれより小さく設定してもよい。
【００４３】
この膨出部２５を設けることにより、道糸Ｍに対し、外側に抜けそうな力が作用した場合であっても、膨出部２５を避けた位置に、道糸Ｍが移動するため、切断部位２４から道糸Ｍが抜ける動きを抑えることができる。
【００４４】
一方、（ｂ）の実施形態２であるが、この実施形態２の差込部たる切断部位１２４は、楔形状となっておらず、単に直線状に切断されており、切断面の一部が完全に接する状態になるように設定されている。また、その外側には半円状の切欠き部１２５を設け、相通穴１２３側には半円状の膨出部１２６を設けることで、構成している。
【００４５】
このように、外側に半円状の切欠き部１２５を設けることで、切欠き部１２５から道糸Ｍが案内しやすくなり、外側からの道糸Ｍの差込作業を容易に行うことができる。また、相通穴１２３側に半円状の膨出部１２６を設けていることで、この場合も、切断部位１２４からの道糸Ｍの抜けを確実に防止できる。
【００４６】
よって、この実施形態２の切断部位１２４であっても、外側からは差込みやすいが相通穴１２３側からは抜けにくいようにできる。
【００４７】
なお、差込部について、実施形態１や実施形態２では、本体部２を切断した切断部位２４，１２４で説明したが、差込部はこれに限定されるものではなく、開閉式機構やゲート等の構造であってもよい。すなわち、道糸Ｍを相通穴２３に差し込む際には容易に差込めて、一旦相通穴２３に差し込むと、道糸Ｍが容易に外れない構造であれば良い。
【００４８】
次に、図３乃至図５で、実施形態１の補助具の使用状態、すなわち、仕掛けの組み方について、説明する。
【００４９】
まず、図３によって全遊動仕掛けについて説明する。
【００５０】
釣り人の持つ釣竿Ｓには、リール４が設けられており、このリール４には長い道糸Ｍが巻き付けられている。そして、この道糸Ｍは、釣竿Ｓの複数のガイド５…を介して、竿先から引き出されるようになっている。そして、この道糸Ｍの先端部分に、フカセ釣りの仕掛けＺを組んでいる。
【００５１】
この仕掛けＺについて説明する。仕掛けＺは、ゴム製の固定部材６と、プラスチック製の球体７と、ゴム製の筒状体８と、結び目９と、ハリス１０と、釣り針１１とを基本に構成している。
【００５２】
具体的には、道糸の手元側（リール側）に「ウキ止め」と呼ばれるウキ移動を止めるゴム製の固定部材６を設け、その先側（釣り針側）には「シモリ玉」と呼ばれるプラスチック製の球体７を挿通する。このシモリ玉７の直径は、補助具Ｔの相通穴２３よりも大きく設定しており、例えば、４〜６ｍｍに設定している。このため、このシモリ玉７が係止部として補助具Ｔの動きを規制する。
【００５３】
さらに、このシモリ玉７より先側（釣り針側）には、「ウキ止めクッション」と呼ばれるゴム製の筒状体８を挿通している。このウキ止めクッション８は、ピン８ａや爪楊枝等を差し込むことで、道糸Ｍに固定したり、自由に移動させたりするようにしている。このウキ止めクッション８の寸法も、補助具Ｔの相通穴２３よりも、大きく設定しており、４〜６ｍｍに設定している。このため、このウキ止めクッション８も、係止部として補助具Ｔの動きを規制できる。
【００５４】
そして、道糸Ｍのさらに先側位置には、結び目９を介して、ハリス１０を取り付けている。このハリス１０の先端には、釣り針１１を取り付けている。なお、釣り針１１には図示しないエサを取り付けるようにしている。
【００５５】
なお、この仕掛けＺが、より海中Ｏに沈みやすくするために、道糸Ｍの位置やハリス１０に割りオモリ１２，１３を取り付けてもよい。この割りオモリ１２，１３で、ウキ止めクッション８の代わりとして、補助具Ｔの動きを規制してもよい。
【００５６】
補助具Ｔは、支持棒部１に中通しウキＵを上方から被せ、その上部に、栓部材３を嵌め込むことで、中通しウキＵを支持固定している。そして、補助具Ｔの相通穴２３に、道糸Ｍを相通させることで仕掛けを組んでいる。
【００５７】
図３の全遊動仕掛けでは、シモリ玉７やウキ止め６よりも手元側（リール側）の道糸Ｍを、補助具Ｔの相通穴２３に相通させることで、仕掛けを組んでいる。このため、補助具Ｔの相通穴２３の先側（釣り針側）に、シモリ玉７等が位置することになり、繰り出される道糸Ｍに対して、シモリ玉７の影響を受けることなく、補助具Ｔを自由に移動させることになる。こうして、補助具Ｔに支持固定された中通しウキＵは、全遊動仕掛けとして、自由に、道糸Ｍに沿って移動することになる。
【００５８】
次に、図４の半遊動仕掛けについて説明する。図３と同様の構成品については、同一の符号を付すことで説明を省略する。この半遊動仕掛けでは、シモリ玉７やウキ止め６よりも先側（釣り針側）の道糸Ｍを、補助具Ｔの相通穴２３に相通させることで、仕掛けＺを組んでいる。このため、補助具Ｔの相通穴２３の手元側（リール側）に、シモリ玉７等が位置することになり、さらに、補助具Ｔの相通穴２３の先側（釣り針側）には、ウキ止めクッション８が位置することになる。このため、補助具Ｔは、相通穴２３を介してシモリ玉７とウキ止めクッション８との間だけを自由に移動することになる。こうして、補助具Ｔに支持固定された中通しウキＵは、半遊動仕掛けとしてシモリ玉７とウキ止めクッション８の間だけを自由に移動することになる。
【００５９】
次に、図５の固定仕掛けについて説明する。この図５でも図３、図４と同様の構成品については、同一の符号を付すことで説明を省略する。
【００６０】
この固定仕掛けでは、補助具Ｔを道糸Ｍに固定することで、固定仕掛けとしている。すなわち、相通穴２３に嵌め込む円錐台形状のゴム製のロックピン１４を準備して、相通穴２３に道糸Ｍを相通させた状態で、適切な位置でこのロックピン１４を相通穴２３に嵌め込み、道糸Ｍを相通穴２３に挟み込む。
【００６１】
これにより、補助具Ｔと道糸Ｍを固定する。このため、補助具Ｔは、道糸Ｍ上の一点に固定される。こうして、補助具Ｔに支持固定された中通しウキＵは、固定仕掛けとして道糸Ｍに固定されることになる。
【００６２】
なお、この円錐台形状のロックピン１４の代わりに、既存の部品を使って、補助具Ｔを道糸Ｍに固定するようにしてもよい。例えば、図示はしないが、爪楊枝を相通穴２３に差し込んでその爪楊枝の両端にゴム製のチューブを被せることで、補助具を道糸に固定したり、また、市販のいわゆる「カラマン棒」（登録商標）を相通穴２３に差し込んで、補助具を道糸に固定するようにしてもよい。
【００６３】
このように、全遊動仕掛けと、半遊動仕掛けと、固定仕掛けとは、単に補助具Ｔの相通穴２３に道糸Ｍを相通させて、その位置を各仕掛け毎で変えること等によって、切り替えることが可能になる。そして、その相通穴２３に対して道糸Ｍを相通する際にも、単に差込部（２４）へ道糸Ｍを差し込むという単純な作業だけで、道糸Ｍを相通穴２３に相通させることができる。
【００６４】
また、この各仕掛けの切り替え作業は、釣り人が差込部（２４）から道糸Ｍを相通穴２３に相通させることで行うが、同時に、相通穴２３から道糸Ｍを取り外すことも必要である。
【００６５】
この取り外し作業は、差込部（２４）から相通されている道糸Ｍと別の位置の道糸Ｍを、さらに相通穴２３に相通させることで行う。すなわち、差込部（２４）の形状によって、道糸Ｍを相通穴２３から容易に取り外すことができないため、道糸Ｍの２か所（この間にシモリ玉等がないことが必要）を折り返して、相通穴２３に差し込むことで、道糸Ｍを相通穴２３から取り外すのである。こうすることで、道糸Ｍを容易に取り外すことができる。
【００６６】
以上のように、この実施形態１や実施形態２の補助具Ｔによると、単純に相通穴２３，１２３に対する道糸Ｍの相通位置や相通の仕方を変えることにより、全遊動仕掛け、半遊動仕掛け、固定仕掛けといった複数の仕掛けＺを切り替えることができる。このため、既存の中通しウキＵを、そのまま利用しながらも、仕掛けＺを迅速かつ確実に切り替えることができる。
【００６７】
よって、既存のウキに加工や変更を加えることなく、そのまま使用しつつも、フカセ釣りの複数の仕掛けＺを、迅速且つ確実に切り替えることができる。
【００６８】
また、この実施形態１や実施形態２の補助具Ｔでは、本体部２の下部に道糸Ｍを相通する相通穴２３，１２３を形成している。このため、釣り人は、本体部２の上部を、指で押さえて道糸Ｍを相通穴２３，１２３に差し込むことができ、仕掛けＺの切り替え作業の作業性を高めることができる。なお、これらの実施形態では、本体部２の下部に相通穴２３，１２３を設けたが、上部に相通穴を設けてもよい。
【００６９】
さらに、実施形態１の補助具Ｔでは、差込部（２４）が楔状の切断部位２４で構成されていることから、楔状に狭まる切断部位２４に対して、単に、道糸Ｍを差し込むことによって、道糸Ｍを確実に相通穴２３に案内することができる。よって、相通穴２３への道糸Ｍの差し込み作業も、容易に行うことができる。
【００７０】
加えて、補助具Ｔの相通穴２３の差込部（２４）の位置には、内側に膨出する膨出部２５が形成されていることから、道糸Ｍに外側に抜けるような力が作用した場合でも、道糸Ｍが膨出部２５を避けた位置で外側に抜けるような動きをするため、道糸Ｍが相通穴２３から抜けないようにできる。よって、キャスティング等で道糸Ｍに外側に抜けるような外力が生じたとしても、仕掛けＺが崩れないようにすることができる。また、この膨出部２５があることによって、固定仕掛けの際のロックピン１４の脱落を防止することもできる。
【００７１】
そして、補助具Ｔを合成樹脂であるポリプロピレンで一体成形しているため、補助具Ｔを中通しウキＵと同じように海面Ｏに浮かすことができる。また、海水での腐食も防ぐことができる。さらに、所定の剛性も有するので、道糸Ｍの支持も確実に行うことができる。加えて、複雑な形状であっても比較的低価格で成形できるため、この補助具Ｔを比較的安価に提供することができる。なお、上記実施形態では、補助具Ｔの材料をポリプロピレンで説明したが、材料はこれに限定されるものではなく、剛性がある程度ある合成樹脂であれば、どのような合成樹脂であってもよい。
【００７２】
次に、実施形態３について、図６を使って説明する。この実施形態３では、本体部２の下端に一段低く凹ませたオモリ固定部２０１を設けている。このオモリ固定部２０１には、相通穴２３より下側の領域を全て凹ませることで形成している。このオモリ固定部２０１の厚みｉは、割りオモリ２０２を差し込んでカシメ固定ができる程度に薄く形成している。例えば、この厚みｉは１ｍｍ程度に設定している。そして、このオモリ固定部２０１は、表面に洗濯板状の水平波状部２０１ａを設けている。この水平波状部２０１ａを設けることにより、表面の引っ掛かりやすさを高めている。
【００７３】
この本体部２のオモリ固定部２０１には、図示するように、割りオモリ２０２を差し込んでカシメることにより、割りオモリ２０２を固定している。このように割りオモリ２０２を固定することで、本体部２の下部が割りオモリ２０２により重たくなって、補助具Ｔが海中Ｏに沈んでいく状態を作ることができる。すなわち、補助具Ｔの質量が増加して、中通しウキＵを支持固定した状態であっても、補助具Ｔが中通しウキＵと共に水中に沈んでいく状態になるのである。
【００７４】
このように割りオモリ２０２を固定することにより、いわゆる「スルスル釣り（釣法）」という、仕掛けＺと共に中通しウキＵも沈ませる、釣り手法を行うことができる。このスリスリ釣りでは、中通しウキＵと仕掛けＺが一体的に海中に沈んでいくため、全遊動仕掛けよりも中通しウキＵの存在で潮の影響を受けやすく、より撒き餌と仕掛けのエサを同調して海中を漂わせることができ、魚の喰い付きを高められる。なお、このスルスル釣りでは、補助具Ｔを道糸Ｍに固定する固定仕掛けによって仕掛けを組むことで、その効果が発揮される。
【００７５】
従って、実施形態３は、補助具Ｔにオモリ固定部２０１を設けることで、実施形態１や実施形態２よりも、さらに釣りの手法（仕掛け）を増やすことができ、釣法の幅を広げることができる。
【００７６】
以上、実施形態を説明してきたが、本考案は、その目的の範囲を逸脱しない限りにおいて、適宜、変更をしてもよい。
【産業上の利用可能性】
【００７７】
以上説明したように、本考案にかかる釣り用補助具によれば、フカセ釣り等、複数の仕掛けを迅速に切り替える必要のある釣りにおいて、適用できる。
【符号の説明】
【００７８】
Ｔ    補助具
Ｍ    道糸
Ｕ    中通しウキ
Ｚ    仕掛け
１    支持棒部
２    本体部
３    栓部材
７    シモリ玉（係止部）
８    割りオモリ
２３、１２３  相通穴
２４、１２４  切断部位（差込部）
２５、１２６  膨出部
【図１】
0003165734.tif 000003
【図２】
0003165734.tif 000004
【図３】
0003165734.tif 000005
【図４】
0003165734.tif 000006
【図５】
0003165734.tif 000007
【図６】
0003165734.tif 000008